(57)【要約】【課題】  係止リングを別途連結片に形成する必要がなく、正確な位置に容易に位置決めして取り付けることができ、しかも書類綴じを綴じ片の両側から行うことができて書類の差し替えに便利な書類綴じ具及びこれを用いたファイルを提供すること。【解決手段】  共に細長い形状からなる一方の基片２及び他方の基片３を具え、これら一方の基片及び他方の基片にはそれぞれ長さ方向の相対応する部分に少なくとも１対の係止部８，８′が設けられている合成樹脂製書類綴じ具であって、前記一方の基片及び他方の基片が、セパレート片５により互いに平行で、かつ所定の間隔をおいて離脱可能に取り付けられ、このように取り付けられた一方の基片の係止部と他方の基片の係止部との間の長さよりも長い帯状の綴じ片６を少なくとも１対有し、これら綴じ片の長さ方向の両端部には前記一方の基片及び他方の基片の係止部とそれぞれ係脱可能に係止する係止部が設けられていることを特徴とする。【選択図】        図１
2005138432.tif 000002
【特許請求の範囲】
【請求項１】
共に細長い形状からなる一方の基片及び他方の基片を具え、これら一方の基片及び他方の基片にはそれぞれ長さ方向の相対応する部分に少なくとも１対の係止部が設けられている合成樹脂製書類綴じ具であって、前記一方の基片及び他方の基片が、セパレート片により互いに平行で、かつ所定の間隔をおいて離脱可能に取り付けられ、このように取り付けられた一方の基片の係止部と他方の基片の係止部との間の長さよりも長い帯状の綴じ片を少なくとも１対有し、これら綴じ片の長さ方向の両端部には前記一方の基片及び他方の基片の係止部とそれぞれ係脱可能に係止する係止部が設けられていることを特徴とする書類綴じ具。
【請求項２】
対となる綴じ片は、その長さ方向中央部に折れ用のヒンジ部が形成されている請求項１記載の書類綴じ具。
【請求項３】
対となる綴じ片は、その長さ方向中央部が一方の基片又は他方の基片に設けられた係止部間の間隔とほぼ等しい間隔で連結片により連結されている請求項１又は２記載の書類綴じ具。
【請求項４】
請求項１ないし３のいずれかに記載の書類綴じ具がセパレート片の離脱により、一方の基片及び他方の基片間のセンターが裏表紙の背部のセンターとほぼ合致した位置となるように取り付けられていることを特徴とするファイル。
【請求項５】
対となる綴じ片は、一方の基片及び他方の基片の係止部と係止する際、ヒンジ部により裏表紙の背部が山側となるように折れる請求項４記載のファイル。
【発明の詳細な説明】
【技術分野】
【０００１】
この発明は、病院等で用いられるカルテや事務用カードなど各種の書類を綴じ込むのに適した書類綴じ具及びこれを用いたファイルに関するものである。
【背景技術】
【０００２】
この種の書類綴じ具及びファイルに関する技術が、従来から知られている（例えば、特許文献１参照。）。これはバインダーとして、基片に１対の帯状綴じ片を有する書類綴じ具が裏表紙の背部を形成する一方の折り目の外側に取り付けられ、この綴じ具の両綴じ片の先端部に設けた係止突起が係脱可能に係止する係止リングが背部の反対側に連接された連結片に形成されているものである。そして書類を綴じ込む際には、綴じ具の両綴じ片に書類に明けた穴を差し込んだ後、該綴じ片の先端部を係止リングに通して係止突起を係止リングに係止する。これにより両綴じ片は基端部と先端部間でアーチ状に湾曲した状態とされ、この状態で両綴じ片に挿通された書類は保持されることとなる。
【０００３】
【特許文献１】登録実用新案第３０４５３８９号公報（第２頁、図２）
【発明の開示】
【発明が解決しようとする課題】
【０００４】
ところで、前記従来のバインダーは、その製作過程においてバインダーの裏表紙へ綴じ具を取り付ける一方、係止リングを別途連結片に形成しなければならず、作業が別々の作業となってしまい、煩雑で時間のかかるものとなっていた。また取り付けに際し、連結片の係止リングとの位置決めが大変で、正確な位置に取り付けにくいとともに、使用中に綴じ片の負荷が係止リングに強くかかると、係止リングの縁部が変形したり破損してしまうことがあった。また綴じ片が基片に取り付けられているため書類を綴じるときはそれと反対側となる片側からしかできないという制約があり、書類が多数ある場合の綴じ片の奥側書類の差し替え等に不便であるという問題点があった。
【０００５】
そこでこの発明は、前記従来のものの問題点を解決し、係止リングを別途連結片に形成する必要がなく、正確な位置に容易に位置決めして取り付けることができ、しかも書類綴じを綴じ片の両側から行うことができて書類の差し替えに便利な書類綴じ具及びこれを用いたファイルを提供することを目的とする。
【課題を解決するための手段】
【０００６】
前記課題を解決するために、請求項１に記載の書類綴じ具に係る発明は、共に細長い形状からなる一方の基片及び他方の基片を具え、これら一方の基片及び他方の基片にはそれぞれ長さ方向の相対応する部分に少なくとも１対の係止部が設けられている合成樹脂製書類綴じ具であって、前記一方の基片及び他方の基片が、セパレート片により互いに平行で、かつ所定の間隔をおいて離脱可能に取り付けられ、このように取り付けられた一方の基片の係止部と他方の基片の係止部との間の長さよりも長い帯状の綴じ片を少なくとも１対有し、これら綴じ片の長さ方向の両端部には前記一方の基片及び他方の基片の係止部とそれぞれ係脱可能に係止する係止部が設けられていることを特徴とする。
【０００７】
請求項２に記載の書類綴じ具に係る発明は、請求項１において、対となる綴じ片は、その長さ方向中央部に折れ用のヒンジ部が形成されていることを特徴とする。請求項３に記載の書類綴じ具に係る発明は、請求項１又は２において、対となる綴じ片は、その長さ方向中央部が一方の基片又は他方の基片に設けられた係止部間の間隔とほぼ等しい間隔で連結片により連結されていることを特徴とする。
【０００８】
請求項４に記載のファイルに係る発明は、請求項１ないし３のいずれかに記載の書類綴じ具がセパレート片の離脱により、一方の基片及び他方の基片間のセンターが裏表紙の背部のセンターとほぼ合致した位置となるように取り付けられていることを特徴とする。請求項５に記載のファイルに係る発明は、請求項４において、対となる綴じ片は、一方の基片及び他方の基片の係止部と係止する際、ヒンジ部により裏表紙の背部が山側となるように折れることを特徴とする。
【発明の効果】
【０００９】
この発明は、前記のような構成であるから、請求項１〜３の書類綴じ具に係る発明にあっては、係止部が一方の基片及び他方の基片、並びに綴じ片に設けられているので、従来の係止リングのように別途裏表紙の連結片に形成する必要がなく、そのぶん加工も容易となり、加工に時間もかからず、作業性がよくなる。また一方の基片及び他方の基片はセパレート片により互いに平行で、かつ所定の間隔をおいて離脱可能に取り付けられるため、綴じ具を正確な位置に容易に位置決めして取り付けることができる。また一方の基片及び他方の基片に設けた係止部に対して帯状の綴じ片に設けた係止部を係止させる構成なので、綴じ片の両側からの書類綴じ、書類外し、あるいは書類差し替えが可能となり、使用に便利なものとなる。請求項４のファイルに係る発明にあっては、請求項１〜３の綴じ具によって書類を効率よく綴じることができて、しかも従来のものに比べて損傷が少ない。請求項５のファイルに係る発明にあっては、書類を綴じるときにヒンジ部で折り、ファイルを閉じると綴じ片に開こうとする力（ストレス）がかかる状態になるので、ファイルを開いて使用するときには綴じ片にストレスがなく、使用し易い等の優れた効果がある。
【発明を実施するための最良の形態】
【００１０】
この発明の実施の形態を、書類としてカルテ（診療録）を綴じる例を示しながら添付図面を参照して説明する。
【００１１】
図１は書類綴じ具の平面図、図２は図１のＡ−Ａ線に沿う縦断面図、図３は図１のＢ−Ｂ線に沿う縦断面図、図４は綴じ片を示す図である。これら図において、１は全体がポリプロピレンなどの合成樹脂製書類綴じ具で、共に同じ大きさの細長い形状からなる一方の基片２及び他方の基片３、これら両基片２，３を互いに平行で、かつ所定の間隔をおいて離脱可能に取り付けるセパレート片５、１対の帯状綴じ片６からなっている。
【００１２】
一方の基片２における長さ方向の両端部には短片７が直角方向外向けに一体に設けられ、該短片には係止穴８が切欠により形成されている。一方の基片２における短片７の基端部と接する部分の両側は屈曲し易くするために内向きに略半円状に切欠１０されている。また一方の基片２における短片７の基端部と接する中央部分の表裏面、及び一方の基片２の図１に表示した部分の表裏面にはエンボス加工で凹凸とした加熱溶着部１１が形成され、ファィル等への取り付けに際して、熱を加えたときに溶け易くなっている。
【００１３】
他方の基片３における長さ方向の両端部にも一方の基片２の短片７と対応する部分に短片７が直角方向外向けに一体に設けられ、該短片には係止穴８が切欠により形成されている。他方の基片３における短片７の基端部と接する部分の両側は屈曲し易くするために内向きに略半円状に切欠１０されている。また他方の基片３における短片７の基端部と接する中央部分の表裏面、及び他方の基片３の図１に表示した部分の表裏面にはエンボス加工で凹凸とした加熱溶着部１１が形成され、ファィル等への取り付けに際して、熱を加えたときに溶け易くなっている。一方の基片２及び他方の基片３において、１２は短片７を折れ易くするための薄肉状に形成されたヒンジ部である。係止穴８は綴じ片６が通り易くなるように平面コ字状に形成され、かつコ字状に囲まれた部分が綴じ片の挿通時に倒れて案内する舌片に形成されている。
【００１４】
セパレート片５は、一方の基片２及び他方の基片３の長さ方向中央部を一体に連結して配置されている。セパレート片５の、一方の基片２及び他方の基片３との取付側の縁部は離脱し易いように一部カット１３されている。セパレータ片５によって両基片２，３は互いに平行を保たれ、かつ所定の間隔をおいて配置される。そして、前記間隔は綴じ具１が取り付けられる後記ファイルの背部幅の間隔をおいて形成されるようになっている。
【００１５】
帯状の綴じ片６は、その全長がセパレート片５を介して間隔をおいて取り付けられた両基片２，３の係止穴８，８間の長さよりも長く形成されている。綴じ片６の両端部はやや丸みのある先細状に形成されているとともに、その裏面には一方の基片２及び他方の基片３の係止穴８，８と係脱可能に係止する係止突起１５が設けられている。係止突起１５は両端から中央部に向けてテーパ高さが高くなった楔状に形成されていて、係止穴８，８に挿通した後に中央部側の面で係止穴８，８と係脱可能に係止する。綴じ片６は、その長さ方向中央部に薄肉となった折れ用のヒンジ部１６が形成されている。
【００１６】
図５は綴じ片６の変形例を示し、この変形例の対となる綴じ片６は、その長さ方向中央部が一方の基片２に設けられた係止穴８，８間の間隔又は他方の基片３に設けられた係止穴８，８間の間隔と等しい間隔で連結片１８により連結されている。連結片１８は平面上綴じ片６の幅の１／３幅に形成されている。このような連結片１８で連結すると、綴じ片６，６間の間隔が係止穴８，８間の間隔となり、綴じ片６の係止突起１５の係止穴８，８への挿入と係止が対単位でスムーズに行うことができ、取り付けが容易となる。また取り付け後においては両綴じ片６の連結による一体化が期待できる。また綴じるカルテの左右２区分分けが可能となり、関連性のあるカルテ同士を左右にまとめられるとともに、カルテの遊びを少なくできて綴じ状態の安定性を増すことができるという利点がある。
【００１７】
前記のような書類綴じ具１をファィル３５へ取り付けるには、図６にその取り付けた状態を示すように裏表紙３６の背部３７のセンターに一方の基片２及び他方の基片３間のセンターが合致するように位置決めした後、該両片の加熱溶着部１１にインジエクションにより熱を加える。この加熱により加熱溶着部１１の一部が溶け出して両片は該位置にしっかりと溶着される。溶着後、セパレータ片５を手で剥ぎ取る。この剥ぎ取りはセパレータ片５の両基片２，３と連結されている縁部の一部がカットされているので、容易にできる。このような綴じ具１の取り付けによれば、両基片２，３の位置決めがスムーズにいき、従来のもののように位置決めに神経を使わなくともよくなる。ファイル３５は透明又は半透明の合成樹脂製となっているが、必ずしも合成樹脂製でなくともよく、一方の基片２及び他方の基片３の加熱溶着部１１と溶着する被加熱溶着部を別体として有すれば、例えば紙製でもよい。また位置決めに際しては、必ずしも前記のように裏表紙３６の背部３７のセンターと一方の基片２及び他方の基片３のセンター同志を合致させなくともよく、むしろセンターと少しずれた位置とするのが好ましい。それはずれた位置とすると、ファィル３５を２つ折りに閉じたとき両基片２，３が重なり合わず、ファィル３５の厚みを薄くできて運搬時の嵩張りを解消できるとともに、ファイル３５を棚等に収納したときに省スペース化を図ることができる。
【００１８】
使用に際しては、図７，８に示すようにまず綴じ片６の一方の端部を手で持って一方の基片２の短片７の係止穴８に通して、一方の端部に設けた係止突起１５を係止穴８に係止可能な状態にする。次に綴じ片６の他方の端部側から必要な枚数のカルテ３８の綴じ穴を通し、それが終えたら綴じ片６の他方の端部を他方の基片３の短片７の係止穴８に通して、他方の端部に設けた係止突起１５を係止穴８に係止可能な状態にする。これで綴じ片６の両係止突起１５と両基片２，３の両係止穴８が係止し合うこととなるので、綴じ片６は外れることなく、カルテ３８はファイル３５の裏表紙３６間に綴じられた状態となる。ここでは綴じ片６を一方の基片２側から係止していく方法で説明したが、逆の他方の基片３側から係止していってもよいことは言うまでもない。
【００１９】
追加のカルテがある場合には綴じ片６のいずれかの側の係止突起１５を係止穴８から外して一旦係止を解き、該綴じ片の端部から追加のカルテを通し、再度係止するやり方で綴じていく。綴じたカルテを差し替えるときも同様に行うが、この場合には差し替えるカルテのある側の係止突起１５を係止穴８から外して行うことができる。したがって、差し替え作業も従来のように必ず片側からしか行えないものに比べて楽に行える。
【００２０】
前記のような使用に際しては、図８に示すようにヒンジ部１６により綴じ片６がファイル３５の裏表紙３６の背部３７に向けて山側となるように略Ｖ字状に折れる。そのため、カルテ３８を綴じるときにヒンジ部１６で折って綴じ片６にストレスをかけた状態にするので、ファイル３５を開いて使用するときには綴じ片６にストレスがなく、使用し易いものとなる。
【００２１】
図９は別の実施の形態を示し、この実施の形態の書類綴じ具４１において前記実施の形態の書類綴じ具１と相違する点は、一方の基片２及び他方の基片３に設けられる短片７，７が２対、すなわち等間隔で４つ設けられていること、セパレータ片５Ａの形状が異なること、及び綴じ片６も２対、４つ設けられていることであり、その他の構成は同様となっている。そのため、同様の部分には同一符合を付して、説明は省略する。またこの書類綴じ具４１に使用する綴じ片６は図示省略した。このような実施の形態においては係止穴８，８が多数になるので、綴じ片６としては図４に示すものよりは図５に示すような対となったものを使用するのが好ましい。この実施の形態のセパレータ片５Ａは十字形状となっている。このような構成の書類綴じ具においては、前記と同様に後記ファイルへの取り付け後に４つ穴のカルテを綴じることができる。
【００２２】
尚、前記各実施の形態においては、係止穴８，８及び綴じ片６が１対（２連）、係止穴８，８及び綴じ片６が２対（４連）のものについて説明したが、必ずしもこれに限定されるものではなく、３連、あるいは５連以上のものでもよい。また、図に示したようにセパレータ片５，５Ａもその形状等は好ましい一例を示したにすぎず、図示以外の形状のものを採用してもよい。さらに、係止部として係止突起１５と係止穴８を例として説明したが、これも特にこれらに限定されるものではなく、他の同効のものに代えてもよい。
【図面の簡単な説明】
【００２３】
【図１】実施の形態に係る書類綴じ具を示す平面図である。
【図２】図１のＡ−Ａ線に沿う縦断面図である。
【図３】図１のＢ−Ｂ線に沿う要部拡大縦断面図である。
【図４】綴じ片を示し、（Ａ）はその平面図、（Ｂ）は縦断面図である。
【図５】綴じ片の変形例を示す平面図である。
【図６】書類綴じ具をファイルに取り付けた状態を示す斜視図である。
【図７】同上の使用状況を説明するための要部拡大図である。
【図８】同上の使用状況を説明するための要部拡大断面図である。
【図９】別の実施の形態に係る書類綴じ具を示す平面図である。
【符号の説明】
【００２４】
１，４１  合成樹脂製書類綴じ具            ２  一方の基片
３  他方の基片                            ５，５Ａ  セパレート片
６  帯状綴じ片                            ７  短片
８  係止穴                                １０  切欠
１１  加熱溶着部                          １５  係止突起
１３  一部カット                          １６  ヒンジ部
１８  連結片                              ３５  ファイル
３６  裏表紙                              ３８  カルテ
【図１】
2005138432.tif 000003
【図２】
2005138432.tif 000004
【図３】
2005138432.tif 000005
【図４】
2005138432.tif 000006
【図５】
2005138432.tif 000007
【図６】
2005138432.tif 000008
【図７】
2005138432.tif 000009
【図８】
2005138432.tif 000010
【図９】
2005138432.tif 000011